(57)【要約】      （修正有）【課題】位置決めの精度が高く、装設難度が低く、加工効果が好ましく、製造コストが低く、外観効果に優れ、全体が圧接される設計によりごみが進入しなくなり、全体の強度が高まり、ガラスの辺縁が破砕するのを回避させ、安全性が向上する新式大曲面熱間曲げ携帯電話ガラス保護フィルムを提供する。【解決手段】新式大曲面熱間曲げ携帯電話ガラス保護フィルムは、保護フィルム本体１及びＰＥＴ外枠４を備える。保護フィルム本体１には中間ガラス３が内設され、中間ガラス３の周囲にはＰＥＴ外枠４が設置され、ＰＥＴ外枠４には検知器開口部が設けられる。ＰＥＴ外枠４の背面には飛散防止フィルム５が設置され、飛散防止フィルム５の背面には両面テープ６が設置され、両面テープ６の背面には離型フィルム７が設置される。【選択図】図１
0003219065.tif 000002
【実用新案登録請求の範囲】
【請求項１】
保護フィルム本体及びＰＥＴ外枠を備え、前記保護フィルム本体には中間ガラスが内設され、前記中間ガラスの周囲には前記ＰＥＴ外枠が設置され、前記ＰＥＴ外枠には検知器開口部が設けられ、前記ＰＥＴ外枠の下方には飛散防止フィルムが設置され、前記飛散防止フィルムの下方には両面テープが設置され、前記両面テープの下方には離型フィルムが設置されることを特徴とする新式大曲面熱間曲げ携帯電話ガラス保護フィルム。
【請求項２】
前記保護フィルム本体の厚さは０．１８８ｍｍ乃至０．２５ｍｍの範囲であることを特徴とする請求項１に記載の新式大曲面熱間曲げ携帯電話ガラス保護フィルム。
【請求項３】
前記中間ガラス及び前記ＰＥＴ外枠は前記飛散防止フィルムを介して連結され、前記中間ガラスの表面には耐指紋層がスプレー塗装または電気めっきされ、前記中間ガラスの加工方式は熱間曲げ成形であることを特徴とする請求項１に記載の新式大曲面熱間曲げ携帯電話ガラス保護フィルム。
【請求項４】
前記ＰＥＴ外枠には前記検知器開口部が一体成形されることを特徴とする請求項１に記載の新式大曲面熱間曲げ携帯電話ガラス保護フィルム。
【請求項５】
前記飛散防止フィルム及び前記中間ガラスは圧接され、前記飛散防止フィルムの背面には突起する点状構造が設置されることを特徴とする請求項１に記載の新式大曲面熱間曲げ携帯電話ガラス保護フィルム。
【請求項６】
前記両面テープ及び前記飛散防止フィルムは接着剤により接着され、前記飛散防止フィルムの厚さは０．０５ｍｍ〜０．１０ｍｍの範囲であり、前記飛散防止フィルムの外形のサイズは前記ＰＥＴ外枠の長さ及び幅よりやや小さいことを特徴とする請求項１に記載の新式大曲面熱間曲げ携帯電話ガラス保護フィルム。
【請求項７】
前記離型フィルム及び前記両面テープは接着剤により接着されることを特徴とする請求項１に記載の新式大曲面熱間曲げ携帯電話ガラス保護フィルム。
【考案の詳細な説明】
【技術分野】
【０００１】
本考案は、強化ガラスフィルム技術に関し、更に詳しくは、新式大曲面熱間曲げ携帯電話ガラス保護フィルムに関する。
【背景技術】
【０００２】
スマートデバイスの不断の発展に伴い、携帯電話が日常生活や仕事で欠かせない道具となっており、広く注目を集めている。携帯電話の強化フィルムは強化ガラスの１種であり、一般的には静電粘着により携帯電話の画面上に貼り付けられ、携帯電話を落とした際に携帯電話の画面が割れるのを防止させる。
【考案の概要】
【考案が解決しようとする課題】
【０００３】
しかしながら、携帯電話の画面の厚さは約３ミリメートル前後であり、携帯電話の強化フィルムの厚さは一般的に０．３乃至０．５ミリメートルである。携帯電話の画面の曲面は通常強化フィルムの曲面より大きいため、強化フィルムの曲面の弧度を携帯電話の画面の曲面の弧度に加工するのは困難であり、そのコストも高かった。このため、強化フィルムを携帯電話の画面前面に貼り付けるのは難しく、完全に携帯電話の画面に貼り合わせることができない状況が発生した。視覚的に出現する「白ぶち」の従来の解決方法の多くは一体設計により携帯電話の画面全体を被覆する方法である。この解決方法の長所は、美観が良く、防塵効果に優れる点である。但し、コストが高く、加工難度も高いという問題があった。従来の一体型強化フィルムに存在する主要な問題は、圧接程度が低く、全体的な強度も低く、表面に指紋が付きやすく、耐用年数が短く、辺縁が破砕しやすいことである。そこで、本考案者は上記の欠点が改善可能と考え、鋭意検討を重ねた結果、合理的設計で上記の課題を効果的に改善する本考案の提案に到った。
【０００４】
かかる従来の実情に鑑みて、本考案は、新式大曲面熱間曲げ携帯電話ガラス保護フィルムを提供することを目的とする。
【課題を解決するための手段】
【０００５】
上述した課題を解決し、目的を達成するために、本考案に係る新式大曲面熱間曲げ携帯電話ガラス保護フィルムの特徴は、保護フィルム本体及びＰＥＴ外枠を備える。前記保護フィルム本体には中間ガラスが内設され、前記中間ガラスの周囲には前記ＰＥＴ外枠が設置され、前記ＰＥＴ外枠には検知器開口部が設けられる。前記ＰＥＴ外枠の下方には飛散防止フィルムが設置され、前記飛散防止フィルムの下方には両面テープが設置され、前記両面テープの下方には離型フィルムが設置される。
【０００６】
上述の構造において、強化フィルムを使用する場合、まず、前記離型フィルムにより前記保護フィルム本体が電子製品に装設され、前記中間ガラスの表面の耐指紋層により操作中に指紋を付きにくくし、使用体験を向上させる。前記飛散防止フィルムの背面に設置される突起する点状構造により、前記飛散防止フィルムが画面から一定の高さ離間し、視覚体験が向上すると共に前記飛散防止フィルムと電子製品のウィンドウとの接触面積も減少し、虹模様が生じる確率も低下する。装設難度が低いため、電子製品の蓋板に直接貼り合わせることができる。熱間曲げガラスが採用されるため、弧形の電子製品の画面表面に十分に貼り合わせることが可能であり、保護フィルムの気泡排出不良現象が生じなくなり、外観を高める効果を発揮し、保護フィルムの使用プロセス全体が完成する。
【０００７】
好ましい実施形態の新式大曲面熱間曲げ携帯電話ガラス保護フィルムにおいて、前記保護フィルム本体の厚さは０．１８８ｍｍ乃至０．２５ｍｍの範囲である。
【０００８】
好ましい実施形態の新式大曲面熱間曲げ携帯電話ガラス保護フィルムにおいて、前記中間ガラス及び前記ＰＥＴ外枠は前記飛散防止フィルムを介して連結され、前記中間ガラスの表面には耐指紋層がスプレー塗装または電気めっきされ、前記中間ガラスの加工方式は熱間曲げ成形である。
【０００９】
好ましい実施形態の新式大曲面熱間曲げ携帯電話ガラス保護フィルムにおいて、前記ＰＥＴ外枠には前記検知器開口部が一体成形される。
【００１０】
好ましい実施形態の新式大曲面熱間曲げ携帯電話ガラス保護フィルムにおいて、前記飛散防止フィルム及び前記中間ガラスは圧接され、前記飛散防止フィルムの背面には突起する点状構造が設置される。
【００１１】
好ましい実施形態の新式大曲面熱間曲げ携帯電話ガラス保護フィルムにおいて、前記両面テープ及び前記飛散防止フィルムは接着剤により接着され、前記飛散防止フィルムの厚さは０．０５ｍｍ〜０．１０ｍｍの範囲であり、前記飛散防止フィルムの外形のサイズは前記ＰＥＴ外枠の長さ及び幅よりやや小さい。
【００１２】
好ましい実施形態の新式大曲面熱間曲げ携帯電話ガラス保護フィルムにおいて、前記離型フィルム及び前記両面テープは接着剤により接着される。
【考案の効果】
【００１３】
本考案によれば、装置の構造設計が合理的であり、位置決めの精度が高く、装設難度が低く、加工効果が好ましく、製造コストが低く、外観効果に優れ、全体が圧接される設計によりごみが進入しなくなり、全体の強度が高まり、ガラスの辺縁が破砕するのを回避させ、安全性が向上する。
【図面の簡単な説明】
【００１４】
【図１】本考案の一実施形態に係る新式大曲面熱間曲げ携帯電話ガラス保護フィルムを示す展開図である。
【図２】本考案の一実施形態に係る新式大曲面熱間曲げ携帯電話ガラス保護フィルムを示す上面図である。
【図３】本考案の一実施形態に係る新式大曲面熱間曲げ携帯電話ガラス保護フィルムを示す前面図である。
【考案を実施するための形態】
【００１５】
以下に、本考案に係る新式大曲面熱間曲げ携帯電話ガラス保護フィルムの実施の形態を図面に基づいて詳細に説明する。なお、各実施の形態によりこの考案が限定されるものではない。
【実施例】
【００１６】
本考案の新式大曲面熱間曲げ携帯電話ガラス保護フィルムは、保護フィルム本体１及びＰＥＴ外枠４を備える。保護フィルム本体１には中間ガラス３が内設され、中間ガラス３の周囲にはＰＥＴ外枠４が設置され、ＰＥＴ外枠４には検知器開口部２が設けられる。ＰＥＴ外枠４の下方には飛散防止フィルム５が設置され、飛散防止フィルム５の下方には両面テープ６が設置され、両面テープ６の下方には離型フィルム７が設置される（図１乃至図３参照）。
【００１７】
上述の構造において、強化フィルムを使用する場合、まず、離型フィルム７を介して保護フィルム本体１が電子製品に装設され、中間ガラス３の表面の耐指紋層により操作中に指紋を付きにくくし、使用体験を向上させる。飛散防止フィルム５の背面に設置される点状構造により飛散防止フィルム５が画面から一定の高さ離間し、視覚体験を向上させると共に飛散防止フィルム５と電子製品のウィンドウとの接触面積も減少させ、虹模様が生じる確率も低下させる。装設難度が低く、電子製品の蓋板に直接貼り合わせられる。熱間曲げガラスが採用されるため、弧形の電子製品の画面表面に十分に貼り合わせられ、保護フィルムの気泡排出不良現象が生じなくなり、外観を高める効果を発揮し、保護フィルムの使用プロセス全体が完成する。
【００１８】
新式大曲面熱間曲げ携帯電話ガラス保護フィルムの使用効果を更に高めるため、保護フィルム本体１の厚さは０．１８８ｍｍ乃至０．２５ｍｍの範囲とし、中間ガラス３及びＰＥＴ外枠４が飛散防止フィルム５を介して連結される。中間ガラス３の表面には耐指紋層がスプレー塗装または電気めっきされ、中間ガラス３の加工方式は熱間曲げ成形である。ＰＥＴ外枠４には検知器開口部２が一体成形される。飛散防止フィルム５及び中間ガラス３が圧接され、飛散防止フィルム５の背面には突起する点状構造が設置され、両面テープ６及び飛散防止フィルム５は接着剤により接着される。飛散防止フィルム５の厚さは０．０５ｍｍ乃至０．１０ｍｍの範囲とし、飛散防止フィルム５の外形のサイズはＰＥＴ外枠４の長さ及び幅よりやや小さく、離型フィルム７及び両面テープ６は接着剤により接着される。
【００１９】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２０】
１  保護フィルム本体
２  検知器開口部
３  中間ガラス
４  ＰＥＴ外枠
５  飛散防止フィルム
６  両面テープ
７  離型フィルム
【図１】
0003219065.tif 000003
【図２】
0003219065.tif 000004
【図３】
0003219065.tif 000005
【手続補正書】
【提出日】平成30年9月21日(2018.9.21)
【手続補正１】
【補正対象書類名】実用新案登録請求の範囲
【補正対象項目名】全文
【補正方法】変更
【補正の内容】
【実用新案登録請求の範囲】
【請求項１】
保護フィルム本体及びＰＥＴ外枠を備え、前記保護フィルム本体には中間ガラスが内設され、前記中間ガラスの周囲には前記ＰＥＴ外枠が設置され、前記ＰＥＴ外枠には検知器開口部が設けられ、前記ＰＥＴ外枠の背面には飛散防止フィルムが設置され、前記飛散防止フィルムの背面には両面テープが設置され、前記両面テープの背面には離型フィルムが設置されることを特徴とする新式大曲面熱間曲げ携帯電話ガラス保護フィルム。
【請求項２】
前記保護フィルム本体の厚さは０．１８８ｍｍ乃至０．２５ｍｍの範囲であることを特徴とする請求項１に記載の新式大曲面熱間曲げ携帯電話ガラス保護フィルム。
【請求項３】
前記中間ガラス及び前記ＰＥＴ外枠は前記飛散防止フィルムを介して連結され、前記中間ガラスの表面には耐指紋層がスプレー塗装または電気めっきされ、前記中間ガラスの加工方式は熱間曲げ成形であることを特徴とする請求項１に記載の新式大曲面熱間曲げ携帯電話ガラス保護フィルム。
【請求項４】
前記ＰＥＴ外枠には前記検知器開口部が一体成形されることを特徴とする請求項１に記載の新式大曲面熱間曲げ携帯電話ガラス保護フィルム。
【請求項５】
前記飛散防止フィルム及び前記中間ガラスは圧接され、前記飛散防止フィルムの背面には突起する点状構造が設置されることを特徴とする請求項１に記載の新式大曲面熱間曲げ携帯電話ガラス保護フィルム。
【請求項６】
前記両面テープ及び前記飛散防止フィルムは接着剤により接着され、前記飛散防止フィルムの厚さは０．０５ｍｍ〜０．１０ｍｍの範囲であり、前記飛散防止フィルムの外形のサイズは前記ＰＥＴ外枠の長さ及び幅よりやや小さいことを特徴とする請求項１に記載の新式大曲面熱間曲げ携帯電話ガラス保護フィルム。
【請求項７】
前記離型フィルム及び前記両面テープは接着剤により接着されることを特徴とする請求項１に記載の新式大曲面熱間曲げ携帯電話ガラス保護フィルム。
【手続補正２】
【補正対象書類名】明細書
【補正対象項目名】０００５
【補正方法】変更
【補正の内容】
【０００５】
上述した課題を解決し、目的を達成するために、本考案に係る新式大曲面熱間曲げ携帯電話ガラス保護フィルムの特徴は、保護フィルム本体及びＰＥＴ外枠を備える。前記保護フィルム本体には中間ガラスが内設され、前記中間ガラスの周囲には前記ＰＥＴ外枠が設置され、前記ＰＥＴ外枠には検知器開口部が設けられる。前記ＰＥＴ外枠の背面には飛散防止フィルムが設置され、前記飛散防止フィルムの背面には両面テープが設置され、前記両面テープの背面には離型フィルムが設置される。
【手続補正３】
【補正対象書類名】明細書
【補正対象項目名】００１６
【補正方法】変更
【補正の内容】
【００１６】
本考案の新式大曲面熱間曲げ携帯電話ガラス保護フィルムは、保護フィルム本体１及びＰＥＴ外枠４を備える。保護フィルム本体１には中間ガラス３が内設され、中間ガラス３の周囲にはＰＥＴ外枠４が設置され、ＰＥＴ外枠４には検知器開口部２が設けられる。ＰＥＴ外枠４の背面には飛散防止フィルム５が設置され、飛散防止フィルム５の背面には両面テープ６が設置され、両面テープ６の背面には離型フィルム７が設置される（図１乃至図３参照）。